(57)【特許請求の範囲】
【請求項１】
チャネル測定を実装する方法であって、
ユーザ機器（UE）によって現在使用される伝送モードにしたがって前記UEについて、事前に分割されたアンテナポートサブセットから、測定される必要がある、アンテナポートサブセットを決定するステップであって、前記事前に分割されたアンテナポートサブセットが異なる伝送モードに適用可能なアンテナポートサブセットを備え、前記伝送モードが多地点協調送信（CoMP）モード、共同プロセッシング（JP）モード、協調ビーム形成（CBF）モード、協調ビーム切換え（CBS）モード、シングルセルサービスモード、またはマルチユーザモードを含む、ステップと、
測定される必要がある前記アンテナポートサブセットによって送信される参照信号のチャネル測定を実行し、チャネル状態情報をフィードバックするように前記UEに通達するステップと
を備える、方法。
【請求項２】
前記伝送モードが前記CoMPモードを備え、前記方法がさらに、
前記CoMPモードの特徴にしたがって前記CoMPモードに適用可能なアンテナポートサブセットによって送信される参照信号のみを構成するステップ
を備える、請求項1に記載の方法。
【請求項３】
測定される必要がある少なくとも2つのアンテナポートサブセットが前記事前に分割されたアンテナポートサブセットから選択される場合に、測定される必要がある前記アンテナポートサブセットによって送信される参照信号の前記チャネル測定を実行し、前記チャネル状態情報をフィードバックするように前記UEに通達する前記ステップが、
測定される必要がある各アンテナポートサブセットの参照信号のチャネル測定を実行し、測定される必要がある各アンテナポートサブセットのチャネル状態情報をフィードバックするように前記UEに通達するステップ、
あるいは、
測定される必要がある各アンテナポートサブセットの参照信号のチャネル測定を実行し、測定される必要がある各アンテナポートサブセットのチャネル状態情報および測定される必要がある2つごとのアンテナポートサブセット間のチャネル状態相互相関の情報をフィードバックするように前記UEに通達するステップ、
あるいは、
測定される必要があるすべてのアンテナポートサブセットを組み合わせ、測定される必要があるすべての前記組み合わされたアンテナポートサブセットの参照信号に基づくチャネル測定を実行するように、および前記アンテナポートサブセットの各組合せのチャネル状態情報をフィードバックするように前記UEに通達するステップ、
あるいは、
測定される必要があるアンテナポートサブセットの一部を組み合わせ、測定される必要がある前記部分的に組み合わされたアンテナポートサブセットの参照信号に基づくチャネル測定を実行し、前記アンテナポートサブセットの各組合せのチャネル状態情報および/または前記アンテナポートサブセットの2つごとの組合せの間のチャネル状態相互相関の情報をフィードバックするように前記UEに通達するステップ
を備える、請求項1または2に記載の方法。
【請求項４】
ユーザ機器（UE）の現在の状態の情報にしたがって前記UEについて、測定される必要がある、アンテナポートサブセットを決定するように構成された、決定ユニットと、
測定される必要がある前記アンテナポートサブセットによって送信される参照信号のチャネル測定を実行し、チャネル状態情報をフィードバックするように前記UEに通達するように構成された、通達ユニットと
を備え、
前記決定ユニットが、
前記UEによって現在使用される伝送モードにしたがって前記UEについて、事前に分割されたアンテナポートサブセットから、測定される必要があるアンテナポートサブセットを選択するように構成された、選択サブユニット
を備え、
前記アンテナポートサブセットが異なる伝送モードに適用可能なアンテナポートサブセットを備え、前記伝送モードが多地点協調送信（CoMP）モード、共同プロセッシング（JP）モード、協調ビーム形成（CBF）モード、協調ビーム切換え（CBS）モード、シングルセルサービスモード、またはマルチユーザモードを含む、
チャネル測定を実装する装置。
【請求項５】
前記伝送モードが、前記CoMP伝送モードを備え、前記装置がさらに、
前記CoMP伝送モードの特徴にしたがって前記CoMP伝送モードに適用可能なアンテナポートサブセットによって送信される参照信号のみを構成するように構成された、構成ユニット
を備える、請求項4に記載の装置。
【請求項６】
測定される必要がある少なくとも2つのアンテナポートサブセットが前記事前に分割されたアンテナポートサブセットから選択される場合に、前記通達ユニットが、
測定される必要がある各アンテナポートサブセットの参照信号のチャネル測定を実行し、測定される必要がある各アンテナポートサブセットのチャネル状態情報をフィードバックするように前記UEに通達するように構成された、第1の通達サブユニット、
あるいは、
測定される必要がある各アンテナポートサブセットの参照信号のチャネル測定を実行し、測定される必要がある各アンテナポートサブセットのチャネル状態情報および測定される必要がある2つごとのアンテナポートサブセット間のチャネル状態相互相関の情報をフィードバックするように前記UEに通達するように構成された、第2の通達サブユニット、
あるいは、
測定される必要があるすべてのアンテナポートサブセットを組み合わせ、測定される必要があるすべての前記組み合わされたアンテナポートサブセットの参照信号に基づいてチャネル測定を実行するように、およびすべての前記アンテナポートサブセットの各組合せのチャネル状態情報をフィードバックするように前記UEに通達するように構成された、第3の通達サブユニット、
あるいは、
測定される必要があるアンテナポートサブセットの一部を組み合わせ、測定される必要がある前記部分的に組み合わされたアンテナポートサブセットの参照信号に基づくチャネル測定を実行し、前記アンテナポートサブセットの各組合せのチャネル状態情報および/または前記アンテナポートサブセットの2つごとの組合せの間のチャネル状態相互相関の情報をフィードバックするように前記UEに通達するように構成された、第4の通達サブユニット
を備える、請求項4または5に記載の装置。
【請求項７】
基地局によって送信された通知を受信し、測定される必要があるアンテナポートサブセットを獲得するように構成された、通知受信ユニットであって、測定される必要がある前記アンテナポートサブセットが、ユーザ機器（UE）によって現在使用される伝送モードにしたがって、事前に分割されたアンテナポートサブセットから、前記基地局によって選択され、前記事前に分割されたアンテナポートサブセットが異なる伝送モードに適用可能なアンテナポートサブセットを備え、前記伝送モードが多地点協調送信（CoMP）モード、共同プロセッシング（JP）モード、協調ビーム形成（CBF）モード、協調ビーム切換え（CBS）モード、シングルセルサービスモード、またはマルチユーザモードを含む、通知受信ユニットと、
測定される必要がある前記アンテナポートサブセットによって送信される参照信号のチャネル測定を実行し、チャネル状態情報をフィードバックするように構成された、測定およびフィードバックユニットと
を備える、ユーザ機器。
【請求項８】
基地局から取得されるユーザ機器（UE）によって現在使用される伝送モードにしたがって、事前に分割されたアンテナポートサブセットから測定される必要があるアンテナポートサブセットを選択するステップであって、前記事前に分割されたアンテナポートサブセットが異なる伝送モードに適用可能なアンテナポートサブセットを備え、前記伝送モードが多地点協調送信（CoMP）モード、共同プロセッシング（JP）モード、協調ビーム形成（CBF）モード、協調ビーム切換え（CBS）モード、シングルセルサービスモード、またはマルチユーザモードを含む、ステップと、
測定される必要がある前記アンテナポートサブセットによって送信される参照信号のチャネル測定を実行し、チャネル状態情報をフィードバックするステップと
を備える、チャネル測定を実装する方法。
【請求項９】
前記アンテナポートサブセットの識別情報を前記基地局にフィードバックするステップ
をさらに備える、請求項8に記載の方法。
【請求項１０】
測定される必要があるアンテナポートサブセットの数が少なくとも2つである場合に、測定される必要がある前記アンテナポートサブセットによって送信される参照信号の前記チャネル測定を実行し、前記チャネル状態情報をフィードバックする前記ステップが、
前記基地局と事前交渉された、前記チャネル状態情報のフィードバックの順序および/または前記アンテナポートサブセットの組合せモードにしたがって、測定される必要がある前記アンテナポートサブセットの前記チャネル測定を実行し、前記チャネル状態情報をフィードバックするステップ、
あるいは、
前記チャネル状態情報のフィードバックの順序および/または前記アンテナポートサブセットの組合せモードを自動的に選択し、測定される必要がある前記アンテナポートサブセットの前記チャネル測定を実行し、前記チャネル状態情報をフィードバックし、前記アンテナポートサブセットの識別情報および/または前記アンテナポートサブセットの組合せの識別情報をフィードバックするステップ
を備える、請求項8または請求項9に記載の方法。
【請求項１１】
基地局から取得されるユーザ機器（UE）によって現在使用される伝送モードにしたがって、事前に分割されたアンテナポートサブセットから測定される必要があるアンテナポートサブセットを選択するように構成された、選択ユニットであって、前記事前に分割されたアンテナポートサブセットが異なる伝送モードに適用可能なアンテナポートサブセットを備え、前記伝送モードが多地点協調送信（CoMP）モード、共同プロセッシング（JP）モード、協調ビーム形成（CBF）モード、協調ビーム切換え（CBS）モード、シングルセルサービスモード、またはマルチユーザモードを含む、選択ユニットと、
測定される必要がある前記アンテナポートサブセットによって送信される参照信号のチャネル測定を実行し、チャネル状態情報をフィードバックするように構成された、フィードバックユニットと
を備える、チャネル測定を実装する装置。
【請求項１２】
前記選択ユニットが、
前記基地局から前記UEの前記UEによって現在使用される伝送モードを取得するように構成された、自己状態情報取得サブユニットと、
前記基地局と事前に交渉された、前記UEの前記伝送モードおよび前記アンテナポートサブセットの間のマッピング関係にしたがって、前記事前に分割されたアンテナポートサブセットから測定される必要があるアンテナポートサブセットを選択するように構成された、選択サブユニットと
を備える、請求項11に記載の装置。
【請求項１３】
前記アンテナポートサブセットの識別情報を前記基地局にフィードバックするように構成された、識別情報フィードバックユニット
をさらに備える、請求項12に記載の装置。
【請求項１４】
測定される必要があるアンテナポートサブセットの数が少なくとも2つであるときに、前記フィードバックユニットが、
前記基地局と事前に交渉された、前記アンテナポートサブセットの前記チャネル状態情報のフィードバックの順序および/または組合せモードにしたがって、測定される必要がある前記アンテナポートサブセットの前記チャネル測定を実行し、前記チャネル状態情報をフィードバックするように構成された、規定のフィードバックサブユニットと、
自動的に前記アンテナポートサブセットの前記チャネル状態情報のフィードバックの順序および/または組合せモードを選択し、測定される必要がある前記アンテナポートサブセットの前記チャネル測定を実行し、前記チャネル状態情報をフィードバックし、前記アンテナポートサブセットの識別情報および/または前記アンテナポートサブセットの組合せの識別情報をフィードバックするように構成された、任意フィードバックユニット
を備える、請求項11または請求項12に記載の装置。
【請求項１５】
請求項１ないし3の何れか１項記載の方法をコンピュータに実行させるプログラムが記録されたコンピュータ読み取り可能な記録媒体。
【発明の詳細な説明】
【技術分野】
【０００１】
本出願は、参照によりその全部が本明細書に組み込まれている、2009年10月28日に中国特許庁に出願した、中国特許出願第200910208525.3号、「METHOD AND APPARATUS FOR IMPLEMENTING CHANNEL MEASUREMENT」の優先権を主張するものである。
【０００２】
本発明は、通信技術の分野に関し、特に、チャネル測定を実装する方法および装置に関する。
【背景技術】
【０００３】
OFDM(Orthogonal Frequency Division Multiplexing、直交周波数分割多重)は、特別なマルチキャリア伝送技術である。それは、広い伝送帯域幅を、並行してデータを送信するための複数の相互に直交する副搬送波に分ける。
【０００４】
OFDMシステムで、無線資源をスケジュールするために、基地局はUEのダウンリンクチャネル状態情報を取得する必要がある。一般に、その情報は、UE(ユーザ機器)がそれを測定し、報告した後に、概して取得される。その測定および報告方法は、主に以下を含む:基地局が参照信号を送信し、UEが受信された参照信号を使用してダウンリンクチャネル状態情報を測定および取得し、次に、UEが測定されたダウンリンクチャネル状態情報を基地局にフィードバックする。基地局は、各UEによってフィードバックされる受信ダウンリンクチャネル状態情報の無線資源スケジューリングを実行し、無線資源の使用を最大化するために、各UEに限定された時間および周波数資源をどのように割り当てるかを決定する。
【０００５】
しかし、本発明の開発のプロセスにおいて、本発明者は、MIMO(Multiple Input Multiple Output、複数入力複数出力)システムで、基地局が複数のアンテナポートをもち、各アンテナポートは送信されることになる参照信号をもつことを発見した。UEは、すべてのアンテナポートのチャネル状態情報を測定する必要があり、基地局にその情報をフィードバックする。したがって、測定およびフィードバックのオーバヘッドは莫大である。
【発明の概要】
【発明が解決しようとする課題】
【０００６】
本発明は、チャネル状態情報へのUEのフィードバックによって生成されるオーバヘッドを減らすために、チャネル測定を実装する方法および装置を提供する。
【課題を解決するための手段】
【０００７】
本発明は、以下の解決法を提供する:
【０００８】
以下を含む、チャネル測定を実装する方法:
【０００９】
UEの現在の状態の情報にしたがってそのUEについて、測定される必要がある、アンテナポートサブセットを決定するステップと、
【００１０】
測定される必要があるアンテナポートサブセットのチャネル測定を実行し、チャネル状態情報をフィードバックするようにUEに通達するステップ。
【００１１】
以下を含む、チャネル測定を実装するための装置:
【００１２】
UEの現在の状態の情報にしたがってそのUEについて、測定される必要がある、アンテナポートサブセットを決定するように構成された、決定ユニットと、
【００１３】
測定される必要があるアンテナポートサブセットのチャネル測定を実行し、チャネル状態情報をフィードバックするようにUEに通達するように構成された、通達ユニット。
【００１４】
以下を含む、ユーザ機器:
【００１５】
基地局によって送信された通知を受信し、UEの現在の状態の情報にしたがって基地局によって決定された、測定される必要があるアンテナポートサブセットを獲得するように構成された、通知受信ユニットと、
【００１６】
測定される必要があるアンテナポートサブセットのチャネル測定を実行し、チャネル状態情報をフィードバックするように構成された、測定およびフィードバックユニット。
【００１７】
以下を含む、チャネル測定を実装する方法:
【００１８】
基地局から取得されたUEの現在の状態の情報にしたがって、事前に分割されたアンテナポートサブセットから測定される必要があるアンテナポートサブセットを選択するステップと、
【００１９】
測定される必要があるアンテナポートサブセットのチャネル測定を実行し、チャネル状態情報をフィードバックするステップ。
【００２０】
以下を含む、チャネル測定を実装する装置:
【００２１】
基地局から取得されたUEの現在の状態の情報にしたがって、事前に分割されたアンテナポートサブセットから測定される必要があるアンテナポートサブセットを選択するように構成された、選択ユニットと、
【００２２】
測定される必要があるアンテナポートサブセットのチャネル測定を実行し、チャネル状態情報をフィードバックするように構成された、フィードバックユニット。
【００２３】
本発明の特定の実施形態によれば、本発明は以下の技術的効果を開示する:
【００２４】
本発明の実施形態によれば、測定される必要があるアンテナポートサブセットをUEの現在の状態の情報にしたがってそのUEについて選択することができ、そのUEは、測定される必要があるアンテナポートサブセットのチャネル測定を実行するように通達され、チャネル状態情報がフィードバックされる。本発明をとおして、UEの状態情報がある一定の条件に合うとき、そのUEはアンテナポートの一部の参照信号のみを測定し、アンテナポートのその部分のチャネル状態情報をフィードバックする。したがって、チャネル状態情報へのそのUEのフィードバックによって生成されるオーバヘッドが低減される。
【００２５】
本発明の実施形態または先行技術による技術的解決法をより明確にするために、以下でその実施形態を図解するための添付の図面を概説する。明らかに、以下の説明にある添付の図面は単に本発明の一部の実施形態に関し、当業者は何ら創造的な活動なしでかかる添付の図面から他の図面を導き出すことができる。
【図面の簡単な説明】
【００２６】
【図１】本発明の第1の実施形態による方法の流れ図である。
【図２】本発明の一実施形態によるシングルセル分散アンテナシステムの概略図である。
【図３】本発明の第2の実施形態による方法の流れ図である。
【図４】本発明の一実施形態による装置の概略図である。
【図５】本発明の一実施形態によるもう1つの装置の概略図である。
【図６】本発明の一実施形態によるユーザ機器の概略図である。
【図７】本発明の一実施形態によるもう1つの装置の概略図である。
【発明を実施するための形態】
【００２７】
本発明の実施形態による技術的解決法が、本発明の実施形態の添付の図面を参照して、明瞭且つ包括的に説明される。明らかに、記載される実施形態は、本発明のすべての実施形態ではなくて単にいくつかの実施形態である。創造的な活動なしに本明細書に記載の実施形態から当業者によって導出されうる他のすべての実施形態は、本発明の保護範囲内にあるものとする。
【００２８】
実施形態1:図1に示すように、本発明の実施形態1で提供されるチャネル測定方法は、以下のステップを含む:
【００２９】
S101:ユーザ機器UEの現在の状態の情報にしたがってそのUEについて、測定される必要がある、アンテナポートサブセットを選択する。
【００３０】
S102:測定される必要があるアンテナポートサブセットのチャネル測定を実行し、チャネル状態情報をフィードバックするようにUEに通達する。
【００３１】
UEの現在の状態の情報は、UEの移動速度と、UEおよび各アンテナポート間の地理的位置関係と、UEおよび各アンテナポート間のパスロス関係の情報と、UEの現在の伝送モードとを含みうる。選択中、測定される必要があるアンテナポートサブセットを形成するために、1つまたは複数のアンテナポートを状態情報にしたがって基地局のすべてのアンテナポートから選択することができ、UEは、UEおよび測定される必要があるアンテナポートサブセット間のチャネル状態情報のみを測定し、フィードバックするように通達される。たとえば、基地局は、UEによって報告される信号強度などの情報からUEおよび各アンテナポート間の地理的位置関係を学習し、UEに最も近い1つまたは複数のアンテナポートを選択して、測定される必要があるアンテナポートのサブセットを形成し、UEに通知する。その通知を受信した後に、UEは、測定される必要があるアンテナポートのサブセットのみを測定し、そのアンテナポートのサブセット以外のアンテナポートを測定しない。その後、UEは、その測定を介して取得される、アンテナポートの対応するサブセットに対応するチャネル状態情報を基地局にフィードバックする。
【００３２】
実際の適用で、選択の容易さのために、基地局でアンテナポートによって形成されるセットは、事前に複数のアンテナポートサブセットに分割されうる。その後にそのUEについて、測定される必要がある、アンテナポートサブセットの選択時に、アンテナポートサブセットは、UEの現在の状態の情報にしたがって、分割されたアンテナポートサブセットからそのUEについて選択されうる。
【００３３】
このモードで、基地局は、UEに事前にセットのすべての可能なモードを通知し、各セットを識別することができる(たとえば、番号を付けることによって)。チャネル状態情報が取得される必要があるとき、1つまたは複数のアンテナポートサブセットの識別子が、UEの状態にしたがってUEに通知される。UEが、サブセットの対応する識別子に基づいてチャネル状態情報の測定およびフィードバックを実行する。
【００３４】
たとえば、Nアンテナポートが基地局Aについて構成され、そのNアンテナポートがmアンテナポートサブセット:N0、N1、N2、...、Nmに分割される。アンテナポートサブセットは、互いに重複しうる。たとえば、アンテナポート2がN0およびN1の両方の中にある場合、N0がアンテナポート1およびアンテナポート2を含むことがあり、N1がアンテナポート2およびアンテナポート3を含むことがある。特定の分割は、本明細書で限定されない、実際の条件にしたがって決定されうる。基地局Aは、そのUEの状態情報にしたがってmアンテナポートサブセットのうちの1つもしくは複数のまたはすべてのアンテナポートサブセットを測定するようにUEに通達することができ、そのときUEは測定されたチャネル状態情報を基地局Aにフィードバックする。以下で、具体的な実装モードを参照してさらに詳細を提供する。
【００３５】
実装モード1:実装モード1で、その基地局のすべてのアンテナポートによって形成されるセットは、異なるUE移動速度に適用可能なアンテナポートサブセットに分割されうる。即ち、アンテナポートサブセットは、チャネルの時間相関にしたがって分割されうる。たとえば、すべてのアンテナポートのセットが、2つのアンテナポートサブセットに分割されうる。一方のアンテナポートサブセットは、高速UEに適用可能であり、高い頻度で参照信号を送信し、そして、他方のアンテナポートサブセットは、低速UEに適用可能であり、比較的低い頻度で参照信号を送信する。
【００３６】
UEがチャネル状態情報を報告するように求められるとき、高速UEは高速UEに適用可能なアンテナポートサブセットのみを測定し、チャネル状態情報をフィードバックするように通達されることが可能であり、そして、低速UEは低速UEに適用可能なアンテナポートサブセットを測定し、チャネル状態情報をフィードバックするように通達されることが可能である。このようにして、低速UEが資源の浪費をもたらさないようにすることができ、高速UEが、十分に高い頻度で時間内に基地局にチャネル状態の変化をフィードバックすることができることを確保することができる。その間、低速UEおよび高速UEの両方について、すべてのアンテナポートを測定することは必要ではない。したがって、フィードバックオーバヘッドは低減され、システム性能は全体として改善される。もちろん、低速UEについて、高速アンテナポートサブセットおよび低速アンテナポートサブセットの両方が測定可能である。
【００３７】
たとえば、基地局のすべてのアンテナポートをアンテナポートサブセットAおよびアンテナポートサブセットBにグループ化することができる。アンテナポートサブセットAの伝送周期は短く(高頻度)、アンテナポートサブセットBの伝送周期は長い(たとえば、アンテナポートサブセットAの伝送周期は5ミリ秒で、アンテナポートサブセットBの伝送周期は10ミリ秒)。さらに、高速UEであるUE1および低速UEであるUE2の両方がその基地局に属する。したがって、その基地局は、アンテナポートサブセットAを測定するようにUE1に通達し、アンテナポートサブセットBを測定するようにUE2に通達することができ、あるいは、アンテナポートサブセットAおよびアンテナポートサブセットBの両方を測定するようにUE2に通達することができる。
【００３８】
実際の適用で、UEの移動速度は変化しうる。たとえば、ユーザは固定位置にいることがあり、ユーザは歩いていることがあり、別のユーザは速く移動している交通手段上にいることもあるなど。UEの移動速度は、チャネルの時間相関に対応する。たとえば、UEが低速で移動するとき、チャネルの時間相関はより強く、そして、チャネル状態情報は経時的にはっきりと変化はせず、したがって、UEはより低い頻度でチャネル状態情報をフィードバックすることができ、反対に、UEが高速で移動するときには、チャネルの時間相関はより弱く、チャネル状態情報は経時的に非常にはっきりと変化することがあり、したがって、UEは、より正確にリアルタイムのチャネル状態情報を取得するために、より高い頻度でチャネル状態情報を測定およびフィードバックする必要がありうる。チャネル状態情報のUEの測定およびフィードバックの頻度は、基地局が参照信号を送信する頻度に関連する。即ち、基地局が高い頻度で参照信号を送信するとき、UEはより高い頻度でチャネル状態情報を測定およびフィードバックすることができ、基地局が低い頻度で参照信号を送信するとき、UEは低い頻度でチャネル状態情報を測定およびフィードバックしなければならない。
【００３９】
先行技術では、基地局のすべてのアンテナポートは同じ頻度で参照信号を送信する。実際には、同じ基地局の下のUEが異なる状態にあることがあり、速く移動しているUEがいつもあり、ゆっくり移動しているまたは静止しているUEさえ存在する。ゆっくりと移動しているまたは静止さえしているUEに関して、すべてのアンテナポートがより高い頻度で参照信号を送信する場合、それらのチャネル状態はゆっくりと変化し、チャネル状態はより高い頻度で測定またはフィードバックされる必要はないため、資源の無駄が不可避的にもたらされる。速く移動しているUEに関して、すべてのアンテナポートがより低い頻度で参照信号を送信する場合、基地局は、十分に正確なチャネル状態情報を取得することができないことがある。
【００４０】
実装モード1で提供される方法を介して、基地局の各アンテナポートは異なる頻度で参照信号を送信することができる。UEが速く移動する場合、UEはより高い送信頻度をもつアンテナポートサブセットの参照信号を測定するように通達されることが可能であり、そうでない場合、UEはより低い送信頻度をもつアンテナポートサブセットの参照信号を測定するように通達される。したがって、実装モード1は、以下の利益をもつ:速く移動するUEが十分に正確なチャネル状態情報をフィードバックすることができ、ゆっくりと移動するUEが資源の無駄をもたらさないようにできることを確実にすることができる。
【００４１】
実際の適用では、UEの移動速度は高速および低速の他にも含むことがある。たとえば、UEの移動速度はいくつかの異なる間隔に分割されうる。それに応じて、アンテナポートは、複数のアンテナポートサブセットに分割される。アンテナポートサブセットがそのUEについて具体的に選択されるとき、どの間隔にそのUEの移動速度が入るかを判断することが可能であり、対応するアンテナポートサブセットが選択される。
【００４２】
基地局はUEのアップリンクチャネル情報を介してUEの移動速度の情報を取得することができ、その具体的な方法は先行技術で実装可能であり、詳細は本明細書で再び繰り返されないことに留意されたい。
【００４３】
実装モード2:実装モード2で、その基地局のすべてのアンテナポートによって形成されるセットが、アンテナの地理的位置にしたがって複数のアンテナポートサブセットに分割されうる。たとえば、互いに地理的に近いアンテナポートがアンテナポートサブセットを形成し、互いに地理的に近い他のアンテナポートが他のアンテナポートサブセットを形成する。UEがチャネル状態情報をフィードバックすることを求められるとき、そのUEへの距離が事前設定条件に合うアンテナポートのサブセットが、そのUEの現在の地理的位置情報にしたがって選択されうる、そして/あるいは、そのUEへのパスロスが事前設定条件に合うアンテナポートサブセットが、現在のUEおよび各アンテナポートサブセット間のパスロスの情報にしたがって、選択されうる(パスロスの情報は、UEの地理的位置情報にしたがって推測されうる、または、UEのアップリンク情報から取得されうる)。
【００４４】
図2に示すシングルセル分散アンテナシステムは例として挙げられる。異なる位置に地理的に分散されたアンテナポートサブセットN1およびアンテナポートサブセットN2の両方は基地局Aに属し、それに応じて、チャネル測定のために基地局Aによって使用される参照信号は2つのアンテナポートサブセットAおよびBに分割され(アンテナポートは、参照信号と1対1マッピング関係にある)、そして、それらはアンテナポートサブセットN1およびアンテナポートサブセットN2によってそれぞれ送信される。PLij(i=1、2、j=1、2、3)は、アンテナポートサブセットiからUEjへのパスロスである。各アンテナポートサブセットからUEへのパスロスの差を考慮し、UEは異なるアンテナポートサブセットを使用することができる。たとえば、アンテナポートの割当ておよび測定の可能な解決法は:UE1がアンテナポートサブセットN1に対応する参照信号を測定し、UE3がアンテナポートサブセットN2に対応する参照信号を測定し、そして、UE2がアンテナポートサブセットN1およびアンテナポートサブセットN2に対応する参照信号を測定する。
【００４５】
実際の適用で、基地局の複数のアンテナポートは複数の位置に分散可能であり、そして、UEの現在の位置およびアンテナポートの位置の間の相対的関係がチャネル状態情報の品質を決定する。
【００４６】
たとえば、UEがアンテナポートに近い場合、信号を受信するUEのパスロスはより小さくなることがあり、そして、アンテナポートからUEによって受信される信号はより強くなることがあり、したがって、チャネル状態はよりよくなりうるが、反対に、UEがアンテナポートから非常に遠い場合、信号を受信するUEのパスロスはより大きくなることがあり、そして、アンテナポートからUEによって受信される信号ははるかに弱くなることがあり、したがって、チャネル状態はより悪くなりうる。この場合、非常に遠いアンテナポートのチャネル状態情報は、基地局によって実行される無線資源スケジューリングにほとんど影響をもたらさないことがあり、最終的にアンテナポートによって運ばれるサービス情報は少しになる、あるいは、アンテナポートはUEのサービス情報を運ぶのに使用さえされない。したがって、すべてのアンテナポートが測定され、チャネル状態情報がフィードバックされる場合、非常に遠いアンテナポートのチャネル状態測定およびフィードバックは、資源の浪費をもたらす。
【００４７】
実装モード2で提供される方法を介して、UEは、そのUEから非常に遠いアンテナポートサブセットの参照信号を測定しないように、および対応するチャネル状態情報をフィードバックしないように通達されうる。したがって、測定およびフィードバックのオーバヘッドは低減される。
【００４８】
基地局はUEのアップリンクチャネル情報を介してUEの地理的位置情報を取得することができ、その具体的な方法は先行技術で実装可能であり、本明細書において再度詳細は繰り返されないことに留意されたい。
【００４９】
実装モード3:実際の適用で、基地局は、UEがサービスの最高の品質を取得することを確保し、システムの最高性能を確保するために、UEの状態情報にしたがって、そのUEのために異なる伝送モードを選択することができる。伝送モードは以下を含みうる:CoMP(Coordinated Multi-point Transmission、多地点協調送信)モード、JP(Joint Processing、共同プロセッシング)モード、CBF(Coordinated beam forming、協調ビーム形成)モード、CBS(Coordinated beam switching、協調ビーム切換え)モード、シングルセルサービスモード、マルチユーザモードなど。
【００５０】
実装モード3で、その基地局のすべてのアンテナポートのセットは、異なる伝送モードに適用可能なアンテナポートサブセットに分割されうる。たとえば、いくつかのアンテナポートがCoMPモードに適用可能なアンテナポートサブセットとしてグループ化可能であり、他のアンテナポートはシングルセルサービスモードに適用可能なアンテナポートサブセットとしてグループ化される。このようにして、UEがチャネル状態情報をフィードバックするように求められるときに、そのUEの伝送モードに適用可能なアンテナポートサブセットを、そのUEによって使用される現在の伝送モードにしたがって、選択することができ、次にUEは、そのUEの伝送モードに適用可能なアンテナポートサブセットに関して基地局にチャネル状態情報をフィードバックするように通達される。たとえば、UE1がCoMPモードにあり、したがって、基地局がUE1にCoMPモードの参照信号のセットのみを測定し、対応するチャネル状態情報をフィードバックするように通達する。
【００５１】
実際の適用では、異なる伝送モードで、特別な構成が参照信号の送信に必要とされうる。たとえば、UEがCoMPモードにあるとき、パワーブースティング(power boosting)が参照信号の送信電力のために実行される必要がある。先行技術では、すべてのアンテナポートの送信電力は引き上げられなければならない。しかし、その基地局に属する他のUEが、シングルセルサービスモードなどの他のモードにあることがある。かかるモードでは、より高い送信電力は必要とされない。したがって、この場合、CoMPモードにないUEについて、参照信号の高い送信電力は明らかに一種の無駄につながる。
【００５２】
実装モード3で提供される方法では、アンテナポートは事前に分割されるため、CoMPモードに適用可能なアンテナポートサブセットによって送信される参照信号のみをCoMPモードの特徴にしたがって構成することができ、特別な処理は別のアンテナポートサブセットに実行されなくてもよい。したがって、実装モード3のもう1つの利点は以下である:CoMPモードが存在するときに、すべてのアンテナポートの参照信号のために実行される特別な構成を回避することができ、資源が節約される。
【００５３】
たとえば、CoMPモードに適用可能なアンテナポートサブセットの参照信号について、CoMPセルセット内で、その参照信号に対応するRE(resource element、資源エレメント)上の隣接するセルのデータは送信されず、CoMPモードに適用可能ではない別のアンテナポートサブセットの参照信号については、CoMPセルセット内で、その参照信号に対応するRE上の隣接するセルのデータはやはり送信される、即ち、特別な構成は実行されない。
【００５４】
別法として、パワーブースティングはCoMPモードに適用可能なアンテナポートサブセットの参照信号に実行することができ、そして、パワーブースティングはCoMPモードに適用可能ではないアンテナポートサブセットの参照信号には実行されなくてもよい。
【００５５】
さらに、たとえば、CoMPモードに適用可能なアンテナポートサブセットの参照信号について、CoMPセルセット内で、各セルに対応する参照信号はコード分割直角位相または周波数分割直角位相として構成され、CoMPモードに適用可能ではない別のアンテナポートサブセットの参照信号については、CoMPセルセット内で、各セルに対応する参照信号は、コード分割直角位相または周波数分割直角位相として構成されなくてもよい。
【００５６】
アンテナポートが伝送モードにしたがってサブセットにグループ化された後に、CoMPモードに適用可能なアンテナポートサブセットによって送信される参照信号のみをCoMPモードの特徴にしたがって構成することができ、そのグループ化および構成の完了の後に、アンテナポートの各サブセットが、UEの状態に影響されることなしに、構成されたモードにしたがって参照信号を送信することができることに留意されたい。
【００５７】
さらに、UEは初期状態で省略時伝送モードにあることがあるため、基地局は、UEによってフィードバックされるチャネル状態情報にしたがって、UEの伝送モードを変更するかどうかを決定する必要があることに留意されたい。したがって、実装モード3で、UEは、まずすべてのアンテナポートのチャネル状態情報をフィードバックすることができ、次に、基地局がUEのチャネル状態情報にしたがってそのUEの新しい伝送モードを選択するとき、基地局はUEにその伝送モードに適用可能なアンテナポートのみにのチャネル状態情報をフィードバックするように通達する。確かに、UEの伝送モードが選択された後に、別の伝送モードが、新しい状態情報にしたがって、UEのために選択されうる。この場合、対応するアンテナポートサブセットが再び選択可能であり、そして、UEは次に、アンテナポートサブセットを測定し、フィードバックを実行するように通達される。
【００５８】
確かに、前述の実装モードは、複数の分割要因にしたがって基地局のアンテナポートを分割するために、組み合わされうる。UEのアンテナポートサブセットを選択するときに、サブセットは、UEの取得された状態情報のいずれかにしたがって、対応するグループ化モードの下でアンテナポートサブセットから選択されうる。
【００５９】
UEの現在の状態の情報にしたがって、事前に分割されたアンテナポートサブセットからUEのアンテナポートのサブセットを選択するときに、測定される必要がある選択されたアンテナポートサブセットの数は、1つまたは複数である。
【００６０】
測定される必要があるアンテナポートのサブセットの数が1であるとき、UEは、アンテナポートサブセットの通知された参照信号に基づいてチャネル測定を実行し、そのアンテナポートサブセットに対応するチャネル状態情報を取得することができる。測定される必要があるアンテナポートサブセットの数が複数であるとき、UEによってフィードバックされうるチャネル状態情報は、チャネル状態情報をより正確に反映するために、各アンテナポートサブセットのチャネル状態情報のみでなく、サブセット間のチャネル状態相互相関の情報もまた含みうる。相互相関情報によって含まれる組合せモードはさまざまでありうる。しかし、どのタイプの情報がUEによってフィードバックされるかを基地局に学習させる必要があるため、UEは任意で相互相関情報をフィードバックすることはできず、そうでない場合、基地局は情報のタイプを識別することができない。したがって、実際の適用、どの情報がフィードバックされる必要があるかを基地局がUEに通知するモードで、たとえば、UEは以下の情報をフィードバックするように通達されうる:
【００６１】
(i)UEが、測定される必要がある各アンテナポートサブセットの参照信号のチャネル測定を実行し、測定される必要がある各アンテナポートサブセットのチャネル状態情報をフィードバックするように通達されうる。たとえば、UE1はアンテナポートサブセットN1、N2、およびN3の参照信号が測定される必要があるという通知を受け、そして、UE1は次に、UE1およびアンテナポートサブセットN1間のチャネル状態情報CSI1/CQＩ1/PMI1/RI1と、UE1およびアンテナポートサブセットN2間のチャネル状態情報CSI2/CQI2/PMI2/RI2と、UE1およびアンテナポートサブセットN3間のチャネル状態情報CS13/CQI3/PMI3/RI3とを取得することができる。その後、UE1は、基地局に測定を介して取得されたCSI1/CQI1/PMI1/RI1、CSI2/CQI2/PMI2/RI2、およびCSI3/CQI3/PMI3/RI3をフィードバックし、そして、基地局が、UE1および他のUEによってフィードバックされるチャネル状態情報にしたがってUE1および他のUEの無線資源スケジューリングを実行する。
【００６２】
(ii)UEが、測定される必要がある各アンテナポートサブセットの参照信号のチャネル測定を実行し、測定される必要がある各アンテナポートサブセットのチャネル状態情報および測定される必要があるアンテナポートサブセット間のチャネル状態相互相関の情報をフィードバックするように通達されうる。たとえば、UE1は、アンテナポートサブセットN1、N2、およびN3が測定される必要があるという通知を受け、そして、UE1は次に、UE1とアンテナポートサブセットN1間のチャネル状態情報CSI1と、UE1とアンテナポートサブセットN2間のチャネル状態情報CSI2と、UE1とアンテナポートサブセットN3間のチャネル状態情報CSI3とを取得する。その間に、UE1とN1およびN2間のチャネル状態相互相関の情報R12、ならびに/またはUE1およびN1およびN3間のチャネル状態相互相関の情報R13、ならびに/またはUE1およびN2およびN3間のチャネル状態相互相関の情報R23、ならびに/またはUE1およびN1、N2およびN3間のチャネル状態相互相関の情報R123が、測定を介して取得される。その後、UE1がCSI1、CSI2、CSI3、R12、R13、R23、R123を基地局にフィードバックし、基地局が、UE1および他のUEによってフィードバックされたチャネル状態情報にしたがって、UE1および別のUEの無線資源スケジューリングを実行する。
【００６３】
チャネル状態相互相関情報をフィードバックすることによって、基地局は、無線資源スケジューリングのためのより効果的情報を提供するために、各チャネルのチャネル状態情報だけではなくチャネル間の相互相関もまた学習することができる。理論上は、チャネル状態相互相関情報は、基地局が各チャネルのチャネル状態情報を受信した後に、計算を介して基地局によって取得されうることに留意されたい。しかし、UEは概して、UEがチャネル状態情報を基地局にフィードバックする前に、チャネル状態情報を処理してチャネル内の伝送を容易にする必要があるため、チャネル状態相互相関情報は、計算を介してUEによって取得される。したがって、基地局によって取得されるチャネル状態情報は、UEによって処理される。基地局が、チャネル状態情報を受信した後に、チャネル間のチャネル状態相互相関の情報を計算する場合、その情報は正確ではない。しかし、UEは、チャネル状態相互相関情報の正確さを確保するために、オリジナルチャネル測定データにしたがって計算を介してチャネル状態相互相関情報を取得することができる。
【００６４】
(iii)測定される必要があるすべてのアンテナポートサブセットが組み合わされ、UEは測定される必要があるすべての組み合わされたアンテナポートサブセットの参照信号に基づいてチャネル測定を実行するように、およびすべての組み合わされたアンテナポートサブセットのチャネル状態情報をフィードバックするように通達される。たとえば、UE1は、アンテナポート1および2を含むアンテナポートサブセットN1とアンテナポート3および4を含むアンテナポートサブセットN2とが測定される必要があることを通知され、それによって、UE1は、計算を介してUE1とN1およびN2内のすべてのアンテナポート(アンテナポート1、2、3、および4)との間のチャネル状態情報CSI12を取得し、次にCSI12を基地局にフィードバックし、そして、基地局が、UE1およびもう1つのUEによってフィードバックされたチャネル状態情報にしたがって、UE1およびもう1つのUEの無線資源スケジューリングを実行する。
【００６５】
(iv)測定される必要があるアンテナポートサブセットの一部が組み合わされ、UEが、測定される必要がある部分的に組み合わされたアンテナポートサブセットの参照信号に基づいてチャネル測定を実行するように、そして、アンテナポートサブセットのそれぞれの組合せのチャネル状態情報および/またはアンテナポートサブセットの2つごとの組合せのチャネル状態相互相関の情報をフィードバックするように通達される。たとえば、UE1は、アンテナポートサブセットN1、N2、N3、およびN4が測定される必要があることを通知され、そして、基地局はアンテナポートサブセットN1をN2と組み合わせ、N3をN4と組み合わせることができ、UE1は、アンテナポートサブセットN1およびアンテナポートサブセットN2の組合せであるN12のチャネル状態情報を測定してCSI12を取得し、アンテナポートサブセットN3およびアンテナポートサブセットN4の組合せであるN34のチャネル状態情報を測定してCSI34を取得するように通達され、その間に、N12およびN34間のチャネル状態相関の情報R1234が計算を介して取得されうる。その後、CSI12、CSＩ34、R1234が、基地局Aにフィードバックされる。
【００６６】
確かに、他の部分的組合せが適用可能である。たとえば、基地局は、アンテナポートサブセットN1およびアンテナポートサブセットN3の組合せであるN13のチャネル状態情報を測定してCSI13を取得し、アンテナポートサブセットN2およびアンテナポートサブセットN4の組合せであるN24のチャネル状態情報を測定してCSＩ24を取得するようにUE1 に通達することができ、その間に、N13およびN24間のチャネル状態相関の情報R1324が、測定を介して取得されうる。その後、UE1がCSI13、U2CSI24、R1324を基地局Aにフィードバックする。基地局が、UE1および他のUEによってフィードバックされたチャネル状態情報にしたがってUE1および他のUEの無線資源スケジューリングを実行する。確かに、アンテナポートサブセットの異なる数にしたがって、部分的組合せモードはさまざまであり、詳細は本明細書において網羅的に説明はされない。
【００６７】
アンテナポートサブセットのチャネル状態情報はアンテナポートサブセット内の各アンテナポートの参照信号を測定することによって取得されることに留意されたい。アンテナポートサブセット間のチャネル状態相互相関の情報は、アンテナポートサブセット間の相互相関を反映する。たとえば、N1およびN2間のチャネル状態相互相関の情報に関して、N1のチャネル状態情報CSI1およびN2のチャネル状態情報CSI2は、その2つの間の相関が計算される前に、まず計算される必要がありうる。しかし、アンテナポートサブセットN1およびN2の組合せであるN12のチャネル状態情報は、N1内の各アンテナポートの参照信号の測定およびN2内の各アンテナポートの参照信号の測定によって取得される。即ち、2つのアンテナポートサブセットは組み合わされ、次に、その組合せのチャネル状態情報が取得される。たとえば、N1がアンテナポート1および2を含み、N2がアンテナポート3および4を含み、そして、アンテナポートの組み合わされたサブセットN12のチャネル状態情報が、直接アンテナポート1、2、3、および4の参照信号にしたがって計算される。
【００６８】
UEに関して、アンテナポートサブセットのチャネル状態情報および各アンテナポートの参照信号によるアンテナポートサブセット間のチャネル状態相互相関の情報の計算方法は、先行技術で実装可能であり、本明細書で詳細は再度繰り返されないことに留意されたい。
【００６９】
前述の実施形態で明記された本方法のステップのすべてまたは部分が関連ハードウェアに通知するプログラムによって実装可能であることが当業者には理解される。そのプログラムは、コンピュータ可読記憶媒体に保存可能である。そのプログラムが走るとき、以下のステップが含まれる:ユーザ機器UEの現在の状態の情報にしたがってそのUEについて測定される必要があるアンテナポートサブセットを決定するステップと、測定される必要があるアンテナポートサブセットのチャネル測定を実行し、チャネル状態情報をフィードバックするようにUEに通達するステップ。この記憶媒体は、ROM/RAM、磁気ディスク、CD-ROMまたはその他でもよい。
【００７０】
実施形態2:図3に示すように、実施形態2で提供されるチャネル測定方法は以下のステップを含む:
【００７１】
S301。基地局から取得されるUEの現在の状態の情報にしたがって、事前に分割されたアンテナポートサブセットから測定される必要があるアンテナポートサブセットを選択するステップ。
【００７２】
UEはそれ自体の状態情報(UEの現在の伝送状態、地理的位置、パスロス、および移動速度を含む)を基地局のダウンリンクチャネル情報から取得することができることに留意されたい。ダウンリンクチャネルメッセージは、チャネル測定指示として排他的に使用することはできないが、UEは、UEがそのメッセージを受信することができる限り、そのメッセージから必要な状態情報を取得することができる。加えて、状態情報は基地局のダウンリンクチャネルメッセージから取得されるため、その基地局もまたUEの現在の状態を認識することを確保することができる。このようにして、基地局は、UEの基礎を正確に取得してアンテナポートサブセットを選択することができ、UEによってフィードバックされた情報を正確にパーズすることができる。
【００７３】
S302。測定される必要があるアンテナポートサブセットのチャネル測定を実行し、チャネル状態情報をフィードバックするステップ。
【００７４】
具体的には、UEが、基地局から取得されたUEの現在の状態の情報にしたがって、事前に分割されたアンテナポートサブセットから測定される必要があるアンテナポートサブセットを選択するとき、UEは、まず基地局からUEの現在の状態の情報を取得し、次に、基地局と事前に交渉された、UEの現在の状態の情報およびアンテナポートサブセット間のマッピング関係にしたがって、事前に分割されたアンテナポートサブセットから測定される必要があるアンテナポートサブセットを選択することができる。加えて、UEは、基地局にチャネル状態情報をフィードバックしながら、基地局にアンテナポートサブセットの識別情報をフィードバックすることができる。
【００７５】
測定される必要があるアンテナポートサブセットの数が複数であるとき、UEが、基地局によって識別可能なモードでチャネル状態をフィードバックする必要がある。具体的な実装モードは以下を含みうる。モード1:基地局が情報を正しく識別し、パーズするように、UEは、基地局と事前に交渉されたモードでチャネル状態情報をフィードバックする、たとえば、基地局がチャネル状態情報のフィードバックの順番および/またはアンテナポートサブセットを組み合わせるモードなどの情報をUEに事前に通知する、モード2:UEが、チャネル状態情報のフィードバックの順番および/またはアンテナポートサブセットを組み合わせるモードなどを任意で選択する。しかし、モード2では、基地局が情報を正しく識別し、パーズすることができるように、チャネル状態情報のフィードバック時にアンテナポートサブセットの識別情報および/またはアンテナポートサブセットの組合せの識別情報を基地局にフィードバックする必要がある。具体的には、アンテナポートサブセットの識別子および/または組合せの識別子が、基地局に選択されたチャネル状態情報のフィードバックの順番およびアンテナポートサブセットを組み合わせるモードなどを通知するために、チャネル状態情報のフィードバックに使用されるメッセージに追加される。
【００７６】
実施形態2は、以下の点で実施形態1とは異なる:実施形態1では、基地局は、UEがチャネル状態情報をフィードバックすることを求められるときに、そのUEについて、測定される必要がある、アンテナポートサブセットを選択し、実施形態2では、アンテナポートのグループ化の結果および要因が事前にUEに通知され、UEは、自動的に、対応するアンテナポートサブセットを選択してそのUEの状態情報にしたがって測定を実行し、チャネル状態情報をフィードバックする。即ち、実施形態1で各ステップを実行する実体は基地局であり、実施形態2で各ステップを実行する実体はUEである。
【００７７】
アンテナポートをサブセットにグループ化する具体的な方法は、実施形態1で説明されたものと同じでもよく、本明細書で詳細はさらに繰り返されない。
【００７８】
以下で、実施形態2を具体的な例を介して詳細に説明する。
【００７９】
たとえば、アンテナポートがUEの伝送モードにしたがってサブセットにグループ化されるとき、基地局はUEにセットのすべての可能なモードを事前に通知し、各セットに対応する伝送モードを識別することができる。UEがある一定の伝送モードにあるとき、そのUEは1セットの対応するモードについてチャネル状態情報を測定し、フィードバックする。さらに、モード切替え識別子が設定されうる。セルによって予めUEに通知された切替え識別子が伝送モードによる自動的切換えを指す場合、そのときUEは、そのUEがある一定の伝送モードにあるときに対応するモードのセットについてチャネル状態情報を測定およびフィードバックし、そうでない場合、たとえUEがある一定の伝送モードにある場合でも、そのUEは自動的に測定されたセットを切り替えることはできない。
【００８０】
この実施形態では、基地局はUEの現在の伝送モードを認識しているため、基地局は、UEによってそのチャネル状態情報がフィードバックされるアンテナポートサブセットを学習することができる。実施形態2で提供される本方法で、例は好ましい実装モードであることが分かる。
【００８１】
前述の実施形態で明記された本方法のステップのすべてまたは部分が関連ハードウェアに通知するプログラムによって実装可能であることを当業者は理解する。そのプログラムは、コンピュータ可読記憶媒体に保存可能である。そのプログラムが走るとき、以下のステップが含まれる:基地局から取得されるUEの現在の状態の情報にしたがって、事前に分割されたアンテナポートサブセットから測定される必要があるアンテナポートサブセットを選択するステップと、測定される必要があるアンテナポートサブセットのチャネル測定を実行し、チャネル状態情報をフィードバックするステップ。この記憶媒体はROM/RAM、磁気ディスク、CD-ROMまたはその他でもよい。
【００８２】
本発明の実施形態1で提供される本方法に対応して、本発明の一実施形態が、チャネル測定を実装する装置を提供する。図4に示すように、本装置は以下を含む:
【００８３】
UEの現在の状態の情報にしたがってそのUEについて、測定される必要がある、アンテナポートサブセットを決定するように構成された、決定ユニットU401と、
【００８４】
測定される必要があるアンテナポートサブセットのチャネル測定を実行し、チャネル状態情報をフィードバックするようにUEに通達するように構成された、通達ユニットU402。
【００８５】
本発明の実施形態で提供される装置を介して、UE状態情報を考慮して、基地局は、アンテナポートの一部のチャネル状態情報のみを測定およびフィードバックするようにUEに通達することができる。したがって、UEのフィードバックによって生成されるオーバヘッドが低減される。
【００８６】
実際の実装で、UEの現在の状態に適用可能なアンテナポートは、基地局の複数のアンテナポートから直接決定することが可能であり、アンテナポート(1つまたは複数のアンテナポートでもよい)が測定される必要があるアンテナポートサブセットの役割を果たす、あるいは、アンテナポートサブセットが事前に複数のアンテナポートサブセットに分割され、次に、測定される必要があるアンテナポートサブセットが、UEの現在の状態の情報にしたがって、アンテナポートサブセットから選択される。この場合、図5に示すように、決定ユニットU401は以下を含みうる:
【００８７】
UEの現在の状態の情報にしたがってUEのために、事前に分割されたアンテナポートサブセットから、測定される必要があるアンテナポートサブセットを選択するように構成された、選択サブユニットU4021、あるいは、
【００８８】
測定される必要があるアンテナポートサブセットを形成するために、UEの現在の状態の情報にしたがってその基地局のすべてのアンテナポートから1つまたは複数のアンテナポートを選択するように構成された、第2の選択サブユニット。
【００８９】
アンテナポートサブセットが事前に複数のアンテナポートサブセットに分割される場合、その分割は複数の要因に基づくことが可能であり、たとえば、その分割はチャネルの時間相関にしたがって実行されうる。この場合、アンテナポートサブセットはUEの異なる移動速度に適用可能なアンテナポートサブセットを含むことができ、UEの現在の状態の情報はUEの現在の移動速度を含み、そして、選択サブユニットU4021は以下を含みうる:
【００９０】
UEの現在の移動速度にしたがってそのUEの移動速度に適用可能なアンテナポートサブセットを選択するように構成された、第1の選択サブユニット。
【００９１】
分散アンテナシステムで、アンテナポートは、そのアンテナポートの地理的位置にしたがってサブセットにグループ化されうる。この場合、アンテナポートサブセットはアンテナの地理的位置にしたがってグループ化されたアンテナポートサブセットを含むことが可能であり、そして、UEの現在の状態の情報は、UEと各アンテナポートサブセットの間のパスロスの情報、および/またはUEの現在の地理的位置情報を含み、そして、選択サブユニットU4021は、以下を含みうる:
【００９２】
UEと各アンテナポートサブセットの間のパスロスの情報にしたがって、そのUEへのパスロスが事前設定条件に合うアンテナポートサブセットを選択するように構成された、第2の選択サブユニット、および/または
【００９３】
UEの現在の地理的位置情報にしたがって、そのUEへの距離が事前設定条件に合うアンテナポートサブセットを選択するように構成された、第3の選択サブユニット。
【００９４】
アンテナポートはまた、UEの伝送モードにしたがって、サブセットにグループ化することもできる。この場合、アンテナポートサブセットは、異なる伝送モードに適用可能なアンテナポートサブセットを含み、UEの現在の状態の情報はUEによって使用される現在の伝送モードを含み、そして、選択サブユニットU4021は以下を含みうる:
【００９５】
UEによって使用される現在の伝送モードにしたがって、そのUEの伝送モードに適用可能なアンテナポートサブセットを選択するように構成された、第4の選択サブユニット。
【００９６】
伝送モードは、CoMP伝送モードを含みうる。アンテナポートが、UEによっておそらくは使用される伝送モードにしたがって、グループ化されるとき、特別な構成がCoMPモードに適用可能なアンテナポートサブセットによって送信される参照信号のみについて実行されうる、そして、その特別な構成は別のアンテナポートの参照信号には必ずしも実行されないことがあり、この場合、システムはさらに以下を含みうる:
【００９７】
CoMP伝送モードの特徴にしたがってCoMP伝送モードに適用可能なアンテナポートサブセットによって送信される参照信号のみを構成するように構成された、構成ユニット。
【００９８】
測定される必要がある少なくとも2つのアンテナポートサブセットが、事前に分割されたアンテナポートサブセットから選択される場合、通達ユニットU402は以下を含みうる:
【００９９】
測定される必要がある各アンテナポートサブセットの参照信号のチャネル測定を実行し、測定される必要がある各アンテナポートサブセットのチャネル状態情報をフィードバックするようにUEに通達するように構成された、第1の通達サブユニット、あるいは、
【０１００】
測定される必要がある各アンテナポートサブセットの参照信号のチャネル測定を実行し、測定される必要がある各アンテナポートサブセットのチャネル状態情報、および測定される必要がある2つごとのアンテナポートサブセット間のチャネル状態相互相関の情報をフィードバックするようにUEに通達するように構成された、第2の通達サブユニット、あるいは、
【０１０１】
測定される必要があるすべてのアンテナポートサブセットを組み合わせ、測定される必要があるすべての組み合わされたアンテナポートサブセットの参照信号のチャネル測定を実行し、すべてのアンテナポートサブセットの組合せのチャネル状態情報をフィードバックするようにUEに通達するように構成された、第3の通達サブユニット、あるいは、
【０１０２】
以下を行うように構成された、第4の通達サブユニット:測定される必要があるアンテナポートサブセットの一部を組み合わせ、測定される必要がある部分的に組み合わされたアンテナポートサブセットの参照信号に基づいてチャネル測定を実行することとアンテナポートサブセットの各組合せのチャネル状態情報および/またはアンテナポートサブセットの2つごとの組合せの間のチャネル状態相互相関の情報をフィードバックすることとをUEに通達するように構成された、第4の通達サブユニット。
【０１０３】
実施形態1で提供される方法および装置に対応して、本発明の一実施形態は、ユーザ機器を提供する。図6に示すように、ユーザ機器は以下を含む:
【０１０４】
基地局によって送信された通知を受信し、ユーザ機器の現在の状態の情報にしたがって基地局によって決定された測定される必要があるアンテナポートサブセットを学習するように構成された、通知受信ユニットU601と、
【０１０５】
測定される必要があるアンテナポートサブセットのチャネル測定を実行し、チャネル状態情報をフィードバックするように構成された、測定およびフィードバックユニットU602。
【０１０６】
UEの現在の状態の情報にしたがって、測定される必要がある、アンテナポートサブセットを決定する基地局の具体的な方法などの内容は、前述の説明と同じであり、本明細書において再度詳細は繰り返されない。
【０１０７】
実施形態2で提供される方法に対応して、本発明の一実施形態はチャネル測定を実装するもう1つの装置を提供する。図7を参照すると、本装置は以下を含む:
【０１０８】
基地局から取得されるUEの現在の状態の情報にしたがって、事前に分割されたアンテナポートサブセットから測定される必要があるアンテナポートサブセットを選択するように構成された、選択ユニットU701と、
【０１０９】
測定される必要があるアンテナポートサブセットのチャネル測定を実行し、チャネル状態情報をフィードバックするように構成された、フィードバックユニットU702。
【０１１０】
この実施形態で提供される装置を介して、基地局から取得されたUEの状態情報および事前に基地局から学習されたアンテナポートサブセットの分割にしたがって、UEは、アンテナポートの一部のチャネル状態情報のみを測定およびフィードバックするために、測定される必要があるアンテナポートサブセットを選択することができる。したがって、チャネル状態情報へのそのUEのフィードバックによって生成されるオーバヘッドは低減される。
【０１１１】
具体的には、選択ユニットU702は、以下を含みうる:
【０１１２】
基地局からUEの現在の状態の情報を取得するように構成された、自己状態情報取得サブユニットと、
【０１１３】
基地局と事前に交渉された、UEの現在の状態の情報およびアンテナポートサブセット間のマッピング関係にしたがって、事前に分割されたアンテナポートサブセットから測定される必要があるアンテナポートサブセットを選択するように構成された、選択サブユニット。
【０１１４】
チャネル状態情報を基地局にフィードバックするとき、UEは実際に測定されたアンテナポートサブセットの識別情報をフィードバックすることができる。この場合、本装置はさらに以下を含みうる:
【０１１５】
アンテナポートサブセットの識別情報を基地局にフィードバックするように構成された、識別情報フィードバックユニット。
【０１１６】
測定される必要があるアンテナポートサブセットが少なくとも2つであるとき、フィードバックユニットU702は以下を含む:
【０１１７】
以下を行うように構成された、規定のフィードバックサブユニット:基地局と事前に交渉された、チャネル状態情報のフィードバックの順序および/またはアンテナポートサブセットの組合せモードにしたがって、測定される必要があるアンテナポートサブセットのチャネル測定を実行し、チャネル状態情報をフィードバックすること、あるいは、
【０１１８】
以下を行うように構成された、任意フィードバックユニット:チャネル状態情報のフィードバックの順序および/またはアンテナポートサブセットの組合せモードを任意で選択し、測定される必要があるアンテナポートサブセットのチャネル測定を実行し、チャネル状態情報をフィードバックすること、そして、アンテナポートサブセットの識別情報および/またはアンテナポートサブセットの組合せの識別情報をフィードバックすること。
【０１１９】
前述は、本発明によるチャネル測定を実装する方法および装置を詳細に説明する。本発明の原理および実装がいくつかの特定の例を介して説明されているが、その実施形態に関する説明は単に本発明の方法および核となる概念をより深く理解するためのものであり、本発明の概念に基づいて、当業者は本発明の特定の実装および適用範囲に修正を行うことができる。結論として、本明細書の内容は本発明の制限として解釈されるべきではない。
【符号の説明】
【０１２０】
1  ユーザ機器
U401  決定ユニット
U402  通達ユニット
U601  通知受信ユニット
U602  測定およびフィードバックユニット
U701  選択ユニット
U702  フィードバックユニット
U4021  選択サブユニット
【図１】
0005504524.tif 000002
【図２】
0005504524.tif 000003
【図３】
0005504524.tif 000004
【図４】
0005504524.tif 000005
【図５】
0005504524.tif 000006
【図６】
0005504524.tif 000007
【図７】
0005504524.tif 000008